(57)【要約】【課題】  ベース体を出隅部に確実に固定することができ、かつ、そのベース体を小型化することができる、配線・配管材の保護部材を提供する。【解決手段】  保護部材２は、建物の壁１の出隅部１ａに固定されるベース体３と、そのベース体３との間で配線・配管材を収容するようにベース体３に組み付けられるカバー体４とを備える。そこで、ベース体３は、壁１の出隅部１ａを構成する二壁面１ｂ、１ｂに当接すべく屈曲形成された底壁３ｃを有する。そして、出隅部１ａの頂部１ｃに対応する、底壁３ｃの屈曲角部３ｅには、ベース体３を出隅部１ａに固定するためのビス等の固定部材７が挿通する取付孔３ｆが設けられている。【選択図】  図２
2006292011.tif 000002
【特許請求の範囲】
【請求項１】
建物の、出隅部を有する壁に沿って配設される配線・配管材を収容して保護すべく、前記出隅部に配置される保護部材であって、
前記出隅部に固定されるベース体と、そのベース体との間で前記配線・配管材を収容するようにそのベース体に組み付けられるカバー体とを備え、
前記ベース体は、前記出隅部を構成する二壁面に当接すべく屈曲形成された底壁を有し、前記出隅部の頂部に対応する、前記底壁の屈曲角部には、前記ベース体を前記出隅部に固定するためのビス等の固定部材が挿通する貫通部が設けられていることを特徴とする、配線・配管材の保護部材。
【請求項２】
前記二壁面は、互いに直交し、前記貫通部は、前記二壁面に対して略４５度の傾斜方向に貫通して形成されていることを特徴とする請求項１に記載の、配線・配管材の保護部材。
【請求項３】
前記底壁における前記貫通部の周縁の、前記固定部材の頭部が当接する頭部当接面は、前記貫通部の貫通方向に対して直交位置する平面を形成するようにして、前記底壁の屈曲角部に設けられていることを特徴とする請求項１または２に記載の、配線・配管材の保護部材。
【発明の詳細な説明】
【技術分野】
【０００１】
この発明は、建物の壁の出隅部に配置される、配線・配管材の保護部材に関するものである。
【背景技術】
【０００２】
従来、建物の壁出隅部において、配線材を収容する保護部材があった（例えば、特許文献１参照）。かかる保護部材は、図５に示されるように、ベース体１１とカバー体１２とから構成されていた。ここにおいて、ベース体１１の底壁は、建物の壁の直交する二つの壁面に当接すべく、二つの直交する底板１１ａ、１１ａからなっていた。そして、これら底板１１ａ、１１ａのそれぞれには、ベース体１１を出隅部に固定するために、ビスが挿通する貫通孔１１ｂ、１１ｂが明けられていた。
【０００３】
【特許文献１】特開２０００−３１０３９０号公報（段落番号０００７〜０００９、図６、図８）
【発明の開示】
【発明が解決しようとする課題】
【０００４】
ところで、前記従来の保護部材にあっては、前記ビスによる固定を確実なものとするため、前記貫通孔１１ｂは、底板１１ａ、１１ａが交わる屈曲角部１１ｃから相当離れた位置に設けられていた。これは、貫通孔１１ｂが屈曲角部１１ｃの近傍に配置されると、ビスを、貫通孔１１ｂを通して壁の一方の壁面にねじ込んだ際に、ビスと他方の壁面との距離が近くなって固定強度が不十分となったり、ビスが他方の壁面から外に飛び出したり、壁材が崩れたりすることがあるからであった。そして、このように、貫通孔１１ｂを屈曲角部１１ｃから相当離れた位置に設けていたために、ベース体１１全体が大きくならざるを得なかった。
【０００５】
この発明は、上記した従来の欠点を解決するためになされたものであり、その目的とするところは、ベース体を出隅部に確実に固定することができ、かつ、そのベース体を小型化することができる、配線・配管材の保護部材を提供することにある。
【課題を解決するための手段】
【０００６】
この発明に係る配線・配管材の保護部材は、前記目的を達成するために、次の構成からなる。すなわち、
請求項１に記載の発明に係る配線・配管材の保護部材は、建物の、出隅部を有する壁に沿って配設される配線・配管材を収容して保護すべく、前記出隅部に配置される保護部材である。この保護部材は、前記出隅部に固定されるベース体と、そのベース体との間で前記配線・配管材を収容するようにそのベース体に組み付けられるカバー体とを備える。そこで、前記ベース体は、前記出隅部を構成する二壁面に当接すべく屈曲形成された底壁を有し、前記出隅部の頂部に対応する、前記底壁の屈曲角部には、前記ベース体を前記出隅部に固定するためのビス等の固定部材が挿通する貫通部が設けられている。
【０００７】
このように、ベース体の底壁における貫通部が、出隅部の頂部に対応する屈曲角部に設けられている。そこで、ベース体の底壁を、出隅部を構成する二壁面に当接させた状態で、固定部材を貫通部に挿通させて出隅部の頂部から壁の内方に螺入または打ち込むことにより、ベース体が前記出隅部に固定される。こうして、ベース体は、出隅部に固定されるが、このとき、固定部材は、貫通部を通って出隅部の頂部から壁の内方に螺入または打ち込まれるため、その固定部材の先端側は、出隅部を構成する二壁面から離れた壁の内側に配置される。したがって、壁が崩れるのを防ぐことができ、ベース体は、出隅部に確実に固定される。しかも、貫通部が、ベース体における底壁の屈曲角部に設けられるため、このベース体を小型化することができる。
【０００８】
また、請求項２に記載の発明に係る配線・配管材の保護部材は、請求項１に記載の保護部材において、前記二壁面は、互いに直交し、前記貫通部は、前記二壁面に対して略４５度の傾斜方向に貫通して形成されている。
【０００９】
また、請求項３に記載の発明に係る配線・配管材の保護部材は、請求項１または２に記載の保護部材において、前記底壁における前記貫通部の周縁の、前記固定部材の頭部が当接する頭部当接面は、前記貫通部の貫通方向に対して直交位置する平面を形成するようにして、前記底壁の屈曲角部に設けられている。
【発明の効果】
【００１０】
この発明に係る配線・配管材の保護部材によれば、貫通部を通って出隅部の頂部から壁の内方に螺入または打ち込まれる固定部材の先端側は、出隅部を構成する二壁面から離れた壁の内側に配置されるため、壁が崩れるのを防ぐことができ、ベース体は、出隅部に確実に固定される。しかも、貫通部が、ベース体における底壁の屈曲角部に設けられるため、このベース体を小型化することができる。
【発明を実施するための最良の形態】
【００１１】
以下、この発明を実施するための最良の形態を図面に基づいて説明する。
【００１２】
図１ないし図４は、本発明の一実施の形態を示す。図中符号１は、建物の壁である。１ａは、前記壁１の出隅部である。２は、ダクトとかモール等からなる、配線・配管材（図示せず）の保護部材である。
【００１３】
保護部材２は、前記出隅部１ａを有する壁１に沿って配設される配線・配管材を収容して保護すべく、前記出隅部１ａに配置される。この保護部材２は、出隅部１ａに対応して屈曲した屈曲部２ａを有している。ここで、保護部材２は、出隅部１ａに固定されるベース体３と、そのベース体３との間で配線・配管材を収容するようにそのベース体３に組み付けられるカバー体４とを備える。そして、これらベース体３とカバー体４との組付け状態を維持すべく、ベース体３は、その側壁３ａに、被係合部３ｂを有するとともに、カバー４体は、その側壁４ａに、ベース体３の被係合部３ｂと係合する係合部４ｂを有している。
【００１４】
詳細には、配線・配管材は、前記出隅部１ａを横切るようにして壁１に沿って配設される。そして、保護部材２は、前述のように、壁１の出隅部１ａに対応して屈曲した屈曲部２ａを有しており、その屈曲して延びる各端部には、他の保護部材６（例えば、直状の保護部材）を接続するための接続部２ｂが設けられている。ここで、保護部材２を構成する前記ベース体３は、底壁３ｃと、その底壁３ｃから立ち上る前記側壁３ａ、３ａとを有する。そして、底壁３ｃは、壁１の出隅部１ａを構成する二壁面１ｂ、１ｂに当接すべく屈曲形成されている。具体的には、底壁３ｃは、壁１の二壁面１ｂ、１ｂにそれぞれ面する底板３ｄ、３ｄにより形成される。そして、出隅部１ａの頂部１ｃに対応する、底壁３ｃの屈曲角部３ｅ（すなわち、底板３ｄ、３ｄが交わる角部）には、ベース体３を出隅部１ａに固定するためのビス等の固定部材７が挿通する貫通部としての取付孔３ｆが設けられている（図２参照）。また、それぞれの底板３ｄにおいても、通孔３ｇが明けられており、この通孔３ｇを挿通するビス等の固定部材（図示せず）によっても、ベース体３を出隅部１ａに固定することができる（図３、図４参照）。
【００１５】
図示実施の形態においては、壁１の出隅部１ａを構成する二壁面１ｂ、１ｂは、互いに直交しており、前記底板３ｄ、３ｄは、それら二壁面１ｂ、１ｂにそれぞれ面するように互いに直交する。そこで、前記取付孔３ｆは、出隅部１ａの二壁面１ｂ、１ｂに対して略４５度の傾斜方向に貫通して形成されている。そして、底壁３ｃにおける取付孔３ｆの周縁の、前記固定部材７の頭部７ａが当接する頭部当接面３ｈは、取付孔３ｆの貫通方向Ｔに対して直交位置する平面を形成するようにして、前記底壁３ｃの屈曲角部３ｅに設けられている（図２参照）。また、側壁３ａの上端部分には、前記被係合部３ｂが、内側に向かって爪状に突出して形成されている。そして、この被係合部３ｂは、各側壁３ａに、その中央位置する角部に設けられている。
【００１６】
カバー体４は、天壁４ｄと、その天壁４ｄから下がる前記側壁４ａ、４ａとから構成される。そして、各側壁４ａには、その中央位置する角部に、ベース体３における被係合部３ｂと対向するように、下方に延設された延設片４ｅが設けられている。そこで、前記係合部４ｂは、側壁４ａの一部を構成する延設片４ｅの下端部分に、外側に向かって爪状に突出して形成されている。そして、この係合部４ｂと前述の被係合部３ｂとの、一方あるいは両方は、弾性的に変位可能となっており、これら係合部４ｂと被係合部３ｂとの一方あるいは両方を弾性的に変位させることで、これら係合部４ｂと被係合部３ｂとの係合が解除されて、カバー体４をベース体３から取り外すことができる。
【００１７】
次に、以上の構成からなる保護部材２の作用効果について説明する。この保護部材２によると、ベース体３の底壁３ｃにおける取付孔３ｆが、壁１の出隅部１ａの頂部１ｃに対応する屈曲角部３ｅに設けられている。そこで、ベース体３の底壁３ｃを、出隅部１ａを構成する二壁面１ｂ、１ｂに当接させた状態で、固定部材７を取付孔３ｆに挿通させて出隅部１ａの頂部１ｃから壁１の内方に螺入または打ち込むことにより、ベース体３は、前記出隅部１ａに固定される。こうして、ベース体３は、出隅部１ａに固定されるが、このとき、固定部材７は、取付孔３ｆを通って出隅部１ａの頂部１ｃから壁１の内方に螺入または打ち込まれるため、その固定部材７の先端側は、出隅部１ａを構成する二壁面１ｂ、１ｂから離れた壁１の内側に配置される。したがって、壁１が崩れるのを防ぐことができ、ベース体３は、出隅部１ａに確実に固定される。しかも、取付孔３ｆが、ベース体３における底壁３ｃの屈曲角部３ｅに設けられるため、このベース体３を小型化することができる。なお、ベース体３は、上述のようにして、壁１の出隅部１ａに固定されるが、その後に、配線・配管材が、ベース体３上に配設され、次いで、カバー体４が、配線・配管材を覆うようにして、ベース体３に組み付けられる。
【００１８】
ところで、本発明は、上述した実施の形態に限定されるわけではなく、その他種々の変更が可能である。例えば、保護部材２は、出隅部１ａを横切る配線・配管材を収容して保護するものでなくとも、出隅部１ａの長手方向に沿う配線・配管材を収容して保護するものであってもよい。
【００１９】
また、壁１の出隅部１ａを構成する二壁面１ｂ、１ｂは、互いに直交しなくとも、直角以外の鈍角あるいは鋭角で交わるものであってもよく、この場合には、ベース体３の底壁３ｃにおける底板３ｄ、３ｄは、前記二壁面１ｂ、１ｂに合わせるように、鈍角あるいは鋭角で交わる。そして、このように二壁面１ｂ、１ｂが直交しない場合においても、取付孔３ｆは、二壁面１ｂ、１ｂ間の角度（つまりは、両底板３ｄ、３ｄ間の角度、言い換えれば、底壁３ｃの屈曲する角度）を二分する方向に貫通して形成されるのが望ましい。
【００２０】
また、固定部材７は、ビスの他に、釘とか、例えば、壁１内で拡径するもの等、特殊な構造を有するものであっても構わない。
【図面の簡単な説明】
【００２１】
【図１】この発明の一実施の形態の側面図である。
【図２】同じく、側断面図である。
【図３】同じく、図２におけるＡ−Ａ線による断面図である。
【図４】同じく、ベース体の平面図である。
【図５】従来の保護部材の分解斜視図である。
【符号の説明】
【００２２】
１  建物の壁
１ａ  出隅部
１ｂ  二壁面
１ｃ  頂部
２  保護部材
３  ベース体
３ｃ  底壁
３ｅ  屈曲角部
３ｆ  取付孔（貫通部）
３ｈ  頭部当接面
４  カバー体
７  固定部材
７ａ  頭部
Ｔ  貫通方向
【図１】
2006292011.tif 000003
【図２】
2006292011.tif 000004
【図３】
2006292011.tif 000005
【図４】
2006292011.tif 000006
【図５】
2006292011.tif 000007